(57)【特許請求の範囲】
【請求項１】
管状部材(1,21,21')、中空のカフ(2,25)並びに前記管状部材(1,21,21')の外側において、管状部材の患者側端部に向かって延長されていて、２つの面を形成する板部材(10,29,29')を含んでなるカフ付呼吸用チューブ組立体であって、
前記板部材(10,29,29')は、前記カフ(2,25)の膨張可能な内側体積内において、管状部材の略々長さ方向に延長されているカフ付呼吸用チューブ組立体において、
前記カフ(2,25)の収縮時には、このカフは前記板部材(10,29,29')の両面に略々接触して、これら面と略々同じ形状となる如くしかつ前記カフ(2,25)の膨張時においては、カフ(2,25)は、前記板部材(10,29,29')の両面より離れて膨張する如くなっており、このとき前記管状部材(1,21,21')はカフ付呼吸用チューブ組立体の患者端に向け開放され、患者の呼吸を可能としたことを特徴とするカフ付呼吸用チューブ組立体。
【請求項２】
請求項１記載のカフ付呼吸用チューブ組立体において、
前記カフ(2) が前記管状部材(1) の患者側端部を越えて膨張可能で、前記板部材(10)が前記管状部材(1) の患者側端部を越えて突出することを特徴とするカフ付呼吸用チューブ組立体。
【請求項３】
請求項２記載のカフ付チューブ組立体において、
前記板状部材(10)が略三角形の形状をなすことを特徴とするカフ付呼吸用チューブ組立体。
【請求項４】
請求項２または３記載のカフ付呼吸用チューブ組立体において、
前記板状部材(10)が、管状部材(1) の患者側端部を越えて突出する箇所で、前記管状部材(1) の軸線から離れて傾斜することを特徴とするカフ付呼吸用チューブ組立体。
【請求項５】
請求項１記載のカフ付呼吸用チューブ組立体において、
前記管状部材(21,21')が、その壁にある少なくとも一つの開口部(23,23')を通して開放され、
前記管状部材(21,21')の患者側端部が、前記カフ(25)の患者側端部を越えて突出することを特徴とするカフ付呼吸用チューブ組立体。
【請求項６】
請求項５記載のカフ付呼吸用チューブ組立体において、
板部材(29,29')が、前記管状部材(21,21')の両側の前記開口部(23,23')の領域で、長手方向に延在する２枚の羽根部材(30,32) を具えることを特徴とするカフ付呼吸用チューブ組立体。
【請求項７】
請求項６記載の組立体において、
前記羽根部材(32)が、部品(31)上に形成され、前記部品(31)の一部分(35)が、管状部材(21') の患者側端部内に挿入されることを特徴とするカフ付呼吸用チューブ組立体。
【請求項８】
請求項７記載の組立体において、
前記管状部材(21') に挿入される前記部品(31)の一部分(35)が、開口部(23')に向かって傾斜する傾斜面(36)を有することを特徴とするカフ付呼吸用チューブ組立体。
【発明の詳細な説明】
【０００１】
【発明の属する技術分野】
本発明は、管状部材、中空のカフを並びに板部材を含んでなるカフ付呼吸用チューブ組立体に関するものである。
【０００２】
【従来の技術】
種々のカフ付呼吸用チューブは、その患者側端部に膨張性のカフを有し、このカフは体内への導入のために収縮している。気管用チューブのような、ある種のチューブにおいては、収縮したカフは、できるだけ小さい輪郭を有することが望ましい。喉頭部または咽頭部用のマスク付気道のような他の組立体においては、組立体を正しく位置させるための助けとなるように、収縮時には特別な形状を有することが望ましい。こうした組立体においては、カフは、通常、所望の形状の板部材、またはその類似物の一方の側に取り付ける。しかしながら、膨張時におけるカフの形状は、収縮時のそれとは異なるため、カフの配置が困難である。
【０００３】
【発明が解決しようとする課題】
本発明の目的は、改良されたカフ付呼吸用チューブ組立体を提案することである。
【０００４】
【課題を解決するための手段】
本発明によれば、上述したようなカフ付呼吸用チューブ組立体は、カフの収縮時には、このカフは前記板部材の両面に略々接触して、これら面と略々同じ形状となる如くしかつ前記カフの膨張時においては、カフは、前記板部材の両面より離れて膨張する如くなっており、このとき前記管状部材はカフ付呼吸用チューブ組立体の患者端に向け開放され、患者の呼吸を可能としたことを特徴とする。
【０００５】
カフは、前記管状部材の患者側端部を越えて膨張可能で、前記板部材は前記管状部材の患者側端部を越えて突出する。前記板状部材は略三角形の形状をなし、また管状部材の患者側端部を越えて突出する箇所で、前記管状部材の軸線から離れて傾斜する。その代わりに、前記管状部材は、その壁にある少なくとも一つの開口部を通して開放され、カフが、前記管状部材を開放する側面の開口部を有しても良い。前記管状部材の患者側端部は、前記カフの患者側端部を越えて突出しても良い。板部材は、前記管状部材の両側の前記開口部の領域で、長手方向に延在する２枚の羽根部材を具えても良い。前記羽根部材は、一部分が管状部材の患者側端部内に挿入され、またこの部分が開口部に向かう傾斜面を有する部品上に形成しても良い。
【０００６】
【発明の実施の形態】
本発明による、３つの異なる形態のカフ付呼吸用チューブ組立体を、例示により添付図面を参照して説明する。
【０００７】
まず、図１〜３を参照すると、曲管１を有する咽頭マスク組立体が示され、曲管１は、その患者側端部に膨張性のカフ２を有する。カフ２の後端部３は前記曲管の外側に取り付けられ、前端部４は、曲管前方の傾斜した端部５に取り付けられている。管１外面の膨張用の開口部６はカフ２内部で開口し、管の壁内部に延在する管腔(lumen) を通して膨張線７と連通する。膨張時には、図示のようにカフ２は管１の前端部を越えて前方に膨張して管内の中央開口部９を通する曲がった端面８を形成し、この端面は患者の喉頭開口部周りの組織をシールするように位置する。上述したように、管は従来のものであり、欧州特許出願公開明細書第712638号に記載されているものに類似したものである。しかしながら、本組立体は、プラスチック製の板部材10が、管１より半径方向外方へ、カフ２内部へ突出している点が、従来の組立体と異なる。板部材10は、丸みを付けた角部11〜13を有する略三角形をなし、二つの側面14および15はわずかに外側へ曲げられている。板10は管１の長い方の側に取り付けられ、管の傾斜部の先端が板10の前方の頂点11から後方に、板の長さの約３分の１の距離の箇所に取り付けられている。管１の端部を越えて前方へ突出する板10の一部分16は、管軸から約30°の角度で下方に傾斜している（図３参照）。板10は二つの、平行な低い壁17を有し、これら壁は板の前方部分16の後方の上面より突出して管１を板の中央部に位置決めする作用をなし、そのため板の両側部は二枚の横方向の羽根部材として外方へ突出する。
【０００８】
カフ２は、板10の後方へ、その一端３で管１に取り付けられている。カフの他端４は管１の傾斜した端面５に取り付けられ、そのためカフ２は板10を取り囲むが、この板には取り付けられてはいない。膨張線７へ供給された空気によりカフ２が膨張した時、カフは板10の境界線を越えて図示のような形状に膨張する。本組立体の患者への挿入または取り出しのため、カフ２は膨張線７より空気を抜くことで収縮する。かくすると、カフの内壁を、管の外面および板10の上側および下側の面へと引き下ろす。板10の形状は、カフ２の膨張に先立って管１の前端部を正しく位置決めするための補助となるように、またこの正しい位置で、収縮したカフが所望の形状に正しく膨張するのを維持するように選ばれる。
【０００９】
図４〜６を参照すると、他の形態の咽頭マスク組立体20が示されており、マスク20は管21を有し、また患者側端部22は閉鎖され、その後方では、管の側壁に、短い間隔で離間している多数の穴23が開口している。マスク組立体20は、通常の管状のカフ25を有する。カフ25の前端部26は、前記穴23前方の位置で管21の外面に取り付けられ、後端部27は穴の後方で取り付けられる。カフ25は側面開口部28を有し、開口部28の縁部もまた穴23の領域を囲んで管21の外面に取り付けられ、そのため、これら穴はカフの側面開口部を通して外部に露出している。上述したように、本組立体は欧州特許出願公開明細書第712638号に記載されているように従来のものである。本組立体は、管21が板部材29を有し、この板部材29が管の患者側端部で穴23の領域の両側に、半径方向外側へ突出している点が従来の組立体と異なる。板部材29は二枚の幅の狭い羽根部材30の形状をなし、羽根部材30は細長の端部を有して長手方向に延在し、かつ半径方向外側へ突出する。板29は種々の方法で形成することができる。例えば、分割された一つまたは複数の部品として形成し、管に連続的に取り付けることができる。この他、管の壁より加熱成形することもできる。板を形成するもう一つの方法は、二枚の横方向に突出する羽根部材を有する管を押し出し成形することであり、それによって羽根部材は管の長さ全体に亘って延在し、所望の形状を残してこれら部材の一部を切り取る。
【００１０】
使用に際しては、図４〜６に示す組立体は、管22の患者側端部22が喉頭開口部の後方の下咽頭部に位置し、またカフの開口部28が喉頭部入口に位置するように、カフ25を収縮させて挿入する。このときカフ25は喉頭部の領域をシールするように膨張する。
【００１１】
図７及び図８は、図４に示す組立体を形成する他の方法を示すものである。この構成においては、板29' を、図８に示すような分離した蝶型の部品31に形成する。板29' には、先端部33より後方に延在する、二枚の三角形の羽根部材を設ける。先端部33は先細で丸くなった端部34と、後方に延在する栓(spigot)35を有する。先端部33は、栓35の軸線から約20°の角度で下方に傾斜している。栓35の形状は、管21' の前端部の内部に押し込んで嵌め込むように形成し、また本組立体に沿って上方に挿入する吸い込みカテーテル（図示せず）が、穴23' を通過するために、このカテーテルが本組立体から逸れるように輪郭を形成した上面を有する。本組立体は、栓35が管21' の患者側端部での無駄な空間を削減するという利点を有する。
【図面の簡単な説明】
【図１】咽頭マスク組立体の側立面図である。
【図２】図１に示す組立体の患者側端部の斜視図である。
【図３】組立体の一部の側立面図である。
【図４】咽頭マスクの他の例の側立面図である。
【図５】図４の組立体をカフを除いた斜視図である。
【図６】図５のVI−VI線に沿った断面図である。
【図７】咽頭マスク組立体のさらに他の例をカフを除いて示す側立面図である。
【図８】図７の組立体の一部の平面図である。
【符号の説明】
１，21 曲管
２，25 カフ
３ カフ２の後端部
４ カフ２の前端部
５ 曲管の前端部
６ 管１外面の開口部
７ 膨張線
８ カフ２の端面
９ カフ２の中央開口部
10 プラスチック製板部材
11〜13 板部材10の角部
14，15 板部材10の側面
16 板部材10一部分
17 板部材の壁部
20 マスク組立体
22 管21の患者側端部
23 管21側壁の開口部
26 カフ25の前端部
27 カフ25の後端部
28 カフ25側面の開口部
29，29' 板部材
30 羽根部材
31 蝶型部品
33 組立体の先端部
34 先端部33の端部
35 栓
【図１】
0004050825.tif 000002
【図２】
0004050825.tif 000003
【図３】
0004050825.tif 000004
【図４】
0004050825.tif 000005
【図５】
0004050825.tif 000006
【図６】
0004050825.tif 000007
【図７】
0004050825.tif 000008
【図８】
0004050825.tif 000009